(57)【要約】【課題】埋入用インスツルメントの先端をフィクスチャーに係合する際にフィクスチャーが収納容器内で回転することを防止して容易に係合でき、フィクスチャーの取り出しが簡便にできるフィクスチャー用収納容器を提供する。【解決手段】歯科インプラント用のフィクスチャーＸを収納するためのフィクスチャー用収納容器を、一端にフィクスチャー挿入口1aが設けられており他端が閉塞されていてその内部にフィクスチャーＸが収納される収納体本体１と、収納体本体１のフィクスチャー挿入口1a側に装着されるキャップとから構成させ、収納体本体１内のフィクスチャー挿入口1aと反対側に、フィクスチャーＸのおねじ部の先端のセルフタップ用溝Xbに係合して収納されたフィクスチャーＸが収納体本体１内で回転することを防止するための回転防止用凸条部３を収納体本体１に固定させ又は一体に設ける。【選択図】図３
2008264294.tif 000002
【特許請求の範囲】
【請求項１】
中心軸に沿って穿設され反口腔内側に向かって先端が閉ざされためねじ部が螺設されている穴の口腔内側の該めねじ部の谷径より大きな径の部位に、埋入用インスツルメント(Ｙ)の先端部に形成されている複数の係合用突起(Ya)が係合される複数の係合用凹条溝(Xa)が形成されている歯科インプラント用のフィクスチャー(Ｘ)を収納するためのフィクスチャー用収納容器であって、
一端にフィクスチャー挿入口(1a)が設けられており他端が閉塞されていてその内部にフィクスチャー(Ｘ)が収納される収納体本体(１)と、該収納体本体(１)のフィクスチャー挿入口(1a)側に装着されるキャップ(２)とから成り、該収納体本体(１)内の該フィクスチャー挿入口(1a)と反対側に、フィクスチャー(Ｘ)のおねじ部の先端のセルフタップ用溝(Xb)に係合して収納されたフィクスチャー(Ｘ)が該収納体本体(１)内で回転することを防止するための回転防止用凸条部(３)が該収納体本体(１)に固定されて又は一体に設けられていることを特徴とするフィクスチャー用収納容器。
【請求項２】
収納体本体(１)がチタン又はチタン合金製である請求項１に記載のフィクスチャー用収納容器。
【発明の詳細な説明】
【技術分野】
【０００１】
本発明は、埋入用インスツルメントをフィクスチャーの口腔内側に係合する際にフィクスチャーが収納容器内で回転することを防止して容易に係合でき、フィクスチャーの取り出しを簡便に行い得るフィクスチャー用収納容器に関するものである。
【背景技術】
【０００２】
歯科用インプラント治療を行うに際しフィクスチャーをフィクスチャー用収納容器から取り出す際、フィクスチャー用収納容器内に収納されていたフィクスチャーを滅菌状態を保ったままで取り出さなければならない。従って、術者はフィクスチャーに直接触れて取り出すことができないので、フィクスチャー用収納容器には様々な工夫が必要となり、これまでにも多くのフィクスチャー用収納容器が提案されている。
【０００３】
例えば、フィクスチャーの中心軸に沿って穿設され反口腔内側に向かって先端が閉ざされためねじ部が螺設されている穴に予め保持部品（フィクスチャーマウント）の一端を螺着させた状態でフィクスチャーを収納するフィクスチャー用収納容器がある（例えば、特許文献１参照。）。このようにして収納されたフィクスチャーは、フィクスチャーのねじ部に螺着された側と反対側のフィクスチャーマウントの部位を専用の工具で把持させて容易に取り出してそのままの状態で顎骨内に埋入することができる。しかしながら、術後等においては、特許文献１のFig.8Jに示されているように顎骨内に埋入されたフィクスチャーからフィクスチャーマウントを取り外さなければならないなど、最終的に非常に手間がかかる欠点があった。
【０００４】
またフィクスチャーマウントを使用せずにフィクスチャーを容易に取り出すことができるフィクスチャー用収納容器としては、フィクスチャーの口腔内側端部外面を把持した装置ホルダ（保持具）が保護ハウジング内からスライド式に取り出されるフィクスチャー用収納容器（パッケージ）がある（例えば、特許文献２参照。）。このフィクスチャー用収納容器ではフィクスチャーを容易に取り出すことができるものの、フィクスチャーが保持具に把持されたままの状態では、歯科用インプラント治療を行うことができないので、フィクスチャーを保持具から取り外す別の器具が必要となり、この場合もフィクスチャーを歯科用インプラント治療を行い得るようにするのに非常に手間がかかる欠点があった。
【０００５】
これらのようなフィクスチャー用収納容器から取り出した後に手間がかかるという問題に対して、フィクスチャーの口腔内側の穴に着脱自在な埋入用インスツルメントが使用されることがある。この埋入用インスツルメントは、フィクスチャーの中心軸に沿って穿設され反口腔内側に向かって先端が閉ざされためねじ部が螺設されている穴の口腔側内面に形成された複数の凹条溝に係止される複数の係合用突起が先端部に形成されていて、フィクスチャーへの着脱が自在にできるものである（例えば、特許文献３参照。）。このような埋入用インスツルメントは、フィクスチャーとは係合されているだけであるから、取り外しが容易にでき、フィクスチャー用収納容器から取り出した後に手間がかかることがないばかりか、フィクスチャー用収納容器から取り出した後に直ちに顎骨内への埋入作業を行えるものである。
【０００６】
しかしながら、この埋入用インスツルメントは、フィクスチャーからの取り外しは容易にできるものの、フィクスチャーに係合する際に手間取ることがある。
そもそもフィクスチャーは顎骨に埋入させなければならないため比較的小さく、この小さなフィクスチャーの中心軸に沿って穿設され反口腔内側に向かって先端が閉ざされためねじ部が螺設されている穴が穿設されており、その穴の口腔内側のめねじ部の谷径より大きな径の部位に形成された複数の係合用凹条溝に埋入用インスツルメントの複数の係合用突起を係合させるには、埋入用インスツルメントの先端をフィクスチャーに穿設された穴の口腔内側に押し当てて、フィクスチャーの凹条溝と埋入用インスツルメントの係合用突起とが噛み合うまで埋入用インスツルメントを回転させて係合させなければならない。その際に、埋入用インスツルメントの先端が押し当てられたフィクスチャーが一緒に回転することがあり、埋入用インスツルメントをフィクスチャーに係合させる際に手間取ることがしばしばある。
【０００７】
【特許文献１】特表２０００−５１２１９５号公報
【特許文献２】特表２００４−５１０５４１号公報  図１ｂ
【特許文献３】特開２００６−７５４２７号公報
【発明の開示】
【発明が解決しようとする課題】
【０００８】
本発明は前記の問題に鑑み、埋入用インスツルメントをフィクスチャーに係合させる際にフィクスチャーが収納容器内で回転することを防止して容易に係合させることができ、フィクスチャーの取り出しが簡便にできるフィクスチャー用収納容器を提供することを課題とする。
【課題を解決するための手段】
【０００９】
本発明者らは前記課題を解決すべく鋭意検討を重ねた結果、歯科インプラント用のフィクスチャーを収納するためのフィクスチャー用収納容器を、一端にフィクスチャー挿入口が設けられており他端が閉塞されていてその内部にフィクスチャーが収納される収納体本体と、該収納体本体のフィクスチャー挿入口側に装着されるキャップとから構成させ、該収納体本体内の該フィクスチャー挿入口と反対側に、フィクスチャーのおねじ部の先端のセルフタップ用溝に係合して収納されたフィクスチャーが該収納体本体内で回転することを防止するための回転防止用凸条部を設ければ、埋入用インスツルメントの先端をフィクスチャーに押し当てて回転させても、フィクスチャーが一緒に回転しないので、埋入用インスツルメントをフィクスチャーに容易に係合でき、また埋入用インスツルメントはフィクスチャーの口腔内側に係合するだけの構造であるからフィクスチャーから容易に取り外すことができるので、術前及び術後においてフィクスチャーの取扱いに手間がかからず、フィクスチャーを非常に簡便に取り扱うことができることを究明して本発明を完成したのである。
【００１０】
即ち、本発明は中心軸に沿って穿設され反口腔内側に向かって先端が閉ざされためねじ部が螺設されている穴の口腔内側の該めねじ部の谷径より大きな径の部位に、埋入用インスツルメントの先端部に形成されている複数の係合用突起が係合される複数の係合用凹条溝が形成されている歯科インプラント用のフィクスチャーを収納するためのフィクスチャー用収納容器であって、一端にフィクスチャー挿入口が設けられており他端が閉塞されていてその内部にフィクスチャーが収納される収納体本体と、該収納体本体のフィクスチャー挿入口側に装着されるキャップとから成り、該収納体本体内の該フィクスチャー挿入口と反対側に、フィクスチャーのおねじ部の先端のセルフタップ用溝に係合して収納されたフィクスチャーが該収納体本体内で回転することを防止するための回転防止用凸条部が該収納体本体に固定されて又は一体に設けられていることを特徴とするフィクスチャー用収納容器である。
【００１１】
また、収納体本体がチタン又はチタン合金製であれば、フィクスチャーと同質の材料であるから、フィクスチャーに材質の異なる不純物が付着することがなくて好ましいことも究明したのである。
【発明の効果】
【００１２】
本発明に係るフィクスチャー用収納容器は、中心軸に沿って穿設され反口腔内側に向かって先端が閉ざされためねじ部が螺設されている穴の口腔内側の該めねじ部の谷径より大きな径の部位に、埋入用インスツルメントの先端部に形成されている複数の係合用突起が係合される複数の係合用凹条溝が形成されている歯科インプラント用のフィクスチャーを収納するためのフィクスチャー用収納容器であって、一端にフィクスチャー挿入口が設けられており他端が閉塞されていてその内部にフィクスチャーが収納される収納体本体と、該収納体本体のフィクスチャー挿入口側に装着されるキャップとから成り、該収納体本体内の該フィクスチャー挿入口と反対側に、フィクスチャーのおねじ部の先端のセルフタップ用溝に係合して収納されたフィクスチャーが該収納体本体内で回転することを防止するための回転防止用凸条部が該収納体本体に固定されて又は一体に設けられているから、埋入用インスツルメントの先端をフィクスチャーに押し当てて回転させても、フィクスチャーが一緒に回転しないので、埋入用インスツルメントの先端をフィクスチャーに容易に係合でき、また埋入用インスツルメントはフィクスチャーから容易に取り外すことができるので、術前及び術後においてフィクスチャーの取扱いに手間がかからず、フィクスチャーを非常に簡便に取り扱うことができるのである。
【００１３】
また、収納体本体がチタン又はチタン合金製である場合には、収納体本体はフィクスチャーと同質の材料で成形されることになるから、フィクスチャーに材質の異なる不純物が付着することがないのである。
【発明を実施するための最良の形態】
【００１４】
以下、図面を用いて本発明に係るフィクスチャー用収納容器について詳細に説明する。
図１は本発明に係るフィクスチャー用収納容器の１実施例を示す斜視図、図２は図１の本発明に係るフィクスチャー用収納容器の収納体本体の斜視図、図３は本発明に係るフィクスチャー用収納容器の収納体本体の上部を断面で示した説明図、図４は図２のＡ-Ａ線断面図、図５は図１の本発明に係るフィクスチャー用収納容器の収納体本体の部分断面斜視図、図６は本発明に係るフィクスチャー用収納容器に収納される歯科インプラント用のフィクスチャーの１例を示す正面説明図、図７は図６の歯科インプラント用のフィクスチャーの縦断面図、図８は図６の歯科インプラント用のフィクスチャーの平面図、図９は本発明に係るフィクスチャー用収納容器に収納されている歯科インプラント用のフィクスチャーを取り出す際に使用される埋入用インスツルメントの１例を示す正面図、図１０は図９の埋入用インスツルメントの底面図である。
【００１５】
図面中、１は一端にフィクスチャー挿入口1aが設けられており他端が閉塞されていてその内部にフィクスチャーＸが収納される収納体本体であり、本発明はこの収納体本体１と後述するキャップ２とから構成されている。また、収納体本体１がチタン又はチタン合金製であれば、フィクスチャーと同質の材料で成形されることになるから、フィクスチャーに材質の異なる不純物が付着することがない。
【００１６】
２は収納体本体１のフィクスチャー挿入口1a側に装着されるキャップであり、このキャップ２は収納体本体１内の滅菌状態を維持するために装着される。このキャップ２としては、取扱いが容易な樹脂製のものや、フィクスチャーＸと同質のチタン又はチタン合金製のものなどが使用できるが特に限定はない。またキャップ２は図１の如く収納体本体１に被せるだけで簡単に装着できるものや、図示しないが収納体本体１に螺入して装着するものであってもよい。
【００１７】
３は収納体本体１内のフィクスチャー挿入口1aと反対側に、後述するフィクスチャーＸのおねじ部の先端のセルフタップ用溝Xbに係合し収納されたフィクスチャーＸが収納体本体１内で回転することを防止するための回転防止用凸条部であり、この回転防止用凸条部３は収納体本体１に固定されて又は一体に設けられている。
【００１８】
Ｙは複数の係合用突起Yaが先端部に形成されている埋入用インスツルメントであり、Ｘはこの埋入用インスツルメントＹの複数の係合用突起Yaが係合される複数の係合用凹条溝Xaが、中心軸に沿って穿設され反口腔内側に向かって先端が閉ざされためねじ部が螺設されている穴の口腔内側のめねじ部の谷径より大きな径の部位に形成されている歯科インプラント用のフィクスチャーである。またこの歯科インプラント用のフィクスチャーＸには、そのおねじ部の先端にはセルフタップ用溝Xbが形成されている。
【００１９】
このような本発明に係るフィクスチャー用収納容器を製作するには、フィクスチャーＸが収納される収納体本体１に穿設された穴の中に、回転防止用凸条部３を形成する部材を嵌合及び／又は接着固定すれば、簡単に収納体本体１内に回転防止用凸条部３を設けることができる。また、回転防止用凸条部３を形成する部材を嵌合及び／又は接着固定する際にフィクスチャーＸが破損等しないように、回転防止用凸条部３となる部材を、図３の如く、回転防止用凸条部３を有する部材を２つの部品から構成させ、先ずフィクスチャーＸが収納される収納体本体１に穿設された穴の中に、土台となる部品を嵌合及び／又は接着固定し、この土台となる部品の中央に形成された穴部に回転防止用凸条部３となる部品を嵌合及び／又は接着固定して、収納体本体１内に回転防止用凸条部３を設けてもよい。またこの回転防止用凸条部３はフィクスチャーＸのおねじ部の先端のセルフタップ用溝Xbに係合する部位であるから、フィクスチャーＸに材質の異なる不純物が付着しないように、フィクスチャーＸと同質の材料から形成されていることが好ましい。
なお、回転防止用凸条部３は必ずしも収納体本体１と別体にする必要はなく、鋳造等によって回転防止用凸条部３を収納体本体１と一体的に形成させてもよい。
【００２０】
図４に示した態様では、フィクスチャーＸには４つのセルフタップ用溝Xbが形成されており、そのうち２箇所が回転防止用凸条部３によって係合されている。このように回転防止用凸条部３は必ずしもフィクスチャーＸのセルフタップ用溝Xbと同じ数だけ形成させる必要はなく、十分な回転防止効果が得られるのであれば、回転防止用凸条部３は少なくとも１つあればよい。
【００２１】
また回転防止用凸条部３の形状は、図４の如く、フィクスチャーＸのセルフタップ用溝Xbと収納体本体１の内面とで形成される空間の形状に近いものであれば、フィクスチャーＸが収納体本体１内で確実に位置固定されるので、確実にフィクスチャーＸの回転防止ができるだけでなく、搬送の際などにフィクスチャーＸが収納体本体１内で大きく動いて傷付くようなことがなくて好ましく、更に回転防止用凸条部３が滑らかな曲面を外形に持つ形状であれば、フィクスチャーＸが回転防止用凸条部３に当っても傷付くことがないのでより一層好ましいのである。
【００２２】
また滅菌状態の維持のために、従来のフィクスチャー用収納容器では２重に包装するものが多用されており、本発明に係るフィクスチャー用収納容器においても、外装用の容器と一緒に使用することができる。
【図面の簡単な説明】
【００２３】
【図１】本発明に係るフィクスチャー用収納容器の１実施例を示す斜視図である。
【図２】図１の本発明に係るフィクスチャー用収納容器の収納体本体の斜視図である。
【図３】本発明に係るフィクスチャー用収納容器の収納体本体の上部を断面で示した説明図である。
【図４】図２のＡ-Ａ線断面図である。
【図５】図１の本発明に係るフィクスチャー用収納容器の収納体本体の部分断面斜視図である。
【図６】本発明に係るフィクスチャー用収納容器に収納される歯科インプラント用のフィクスチャーの１例を示す正面説明図である。
【図７】図６の歯科インプラント用のフィクスチャーの縦断面図である。
【図８】図６の歯科インプラント用のフィクスチャーの平面図である。
【図９】本発明に係るフィクスチャー用収納容器に収納されている歯科インプラント用のフィクスチャーを取り出す際に使用される埋入用インスツルメントの１例を示す正面図である。
【図１０】図９の埋入用インスツルメントの底面図である。
【符号の説明】
【００２４】
１  収納体本体
1a  フィクスチャー挿入口
２  キャップ
３  回転防止用凸条部
Ｘ  フィクスチャー
Xa  凹条溝
Xb  セルフタップ用溝
Ｙ  埋入用インスツルメント
Ya  係合用突起
【図１】
2008264294.tif 000003
【図２】
2008264294.tif 000004
【図３】
2008264294.tif 000005
【図４】
2008264294.tif 000006
【図５】
2008264294.tif 000007
【図６】
2008264294.tif 000008
【図７】
2008264294.tif 000009
【図８】
2008264294.tif 000010
【図９】
2008264294.tif 000011
【図１０】
2008264294.tif 000012